(57)【特許請求の範囲】
【請求項１】
デジタル方式のテレビジョン放送を受信して、受信した映像情報を記録媒体に記録可能に構成された放送受信記録装置であって、
デジタル方式のテレビジョン放送を受信する受信手段と、
前記記録媒体に形成され、前記受信手段を介して受信された映像情報を格納する映像記憶手段と、
外部からの操作入力を受け付けて、受け付けられた操作入力に基づいて、録画する対象の番組である予約録画番組を設定する録画予約手段と、
前記録画予約手段によって設定された予約録画番組を前記映像記憶手段に格納する空き容量があるか否かを判定する容量判定手段と、
前記容量判定手段によって前記映像記憶手段に格納する空き容量が無いと判定された場合に、前記予約録画番組の字幕情報の有無を判定する字幕判定手段と、
前記容量判定手段によって前記映像記憶手段に格納する空き容量が無いと判定された場合に、前記予約録画番組の映像情報を前記映像記憶手段に記録せずに、前記予約録画番組の字幕情報及び音声情報の少なくとも一方を前記映像記憶手段に記録する記録実行手段と、
を備え、
前記記録実行手段は、
前記字幕判定手段によって字幕情報が有ると判定された場合には、前記予約録画番組の字幕情報に対応するテキストデータを生成し、生成されたテキストデータを前記映像記憶手段に記録し、
前記字幕判定手段によって字幕情報が無いと判定された場合には、前記予約録画番組の音声情報を前記映像記憶手段に記録する
ことを特徴とする放送受信記録装置。
【請求項２】
前記予約録画番組を前記映像記憶手段に格納するために必要な容量である必要容量を求める容量算出手段を備え、
前記容量判定手段は、前記容量算出手段によって求められた必要容量が前記空き容量より大きい場合に、前記映像記憶手段に格納する空き容量が無いと判定することを特徴とする請求項１に記載の放送受信記録装置。
【請求項３】
映像の解像度情報及びアスペクト比情報に対応付けて、単位時間当たりの必要容量を予め格納する容量記憶手段を備え、
前記容量算出手段は、前記受信手段を介して前記予約録画番組の解像度情報及びアスペクト比情報を取得し、取得された解像度情報及びアスペクト比情報に対応する単位時間当たりの必要容量を前記容量記憶手段から読み出し、読み出された単位時間当たりの必要容量に前記予約録画番組の番組時間を乗じることによって 前記必要容量を求めることを特徴とする請求項２に記載の放送受信記録装置。
【請求項４】
携帯可能に構成されていることを特徴とする請求項１〜請求項３のいずれかに記載の放送受信記録装置。
【発明の詳細な説明】
【技術分野】
【０００１】
本発明は、デジタル方式のテレビジョン放送を受信して、受信した映像情報を記録媒体に記録可能に構成された放送受信記録装置に関する。特に、携帯可能に構成された放送受信記録装置に関する。
【背景技術】
【０００２】
デジタル方式のテレビジョン放送を受信して、受信した映像情報を記録媒体に記録可能に構成された放送受信記録装置において、予約録画された番組の録画を実行する際に、記録媒体の空き容量が不足して予約録画された番組の録画が実行できない場合がある。特に、携帯可能に構成されたポータブルＴＶ等の放送受信記録装置においては、大容量の記録媒体を搭載することが困難であるため、上記課題は、より重大なものとなる。
【０００３】
上記課題を解消するために、種々の装置、方法等が提案されている。例えば、映像データの再生が停止されたとき、映像データの再生時間と該映像データの録画時間とを比較して、再生された映像データが予め設定された一定時間以上再生済であるか否かを判別して、再生された映像データが予め設定された一定時間以上再生済みである場合、その再生された映像データを消去する録画再生装置が開示されている（特許文献１参照）。
【特許文献１】特開２００６−３１７６１号公報
【発明の開示】
【発明が解決しようとする課題】
【０００４】
しかしながら、上記録画再生装置では、予め設定された一定時間以上再生済みである場合、その再生された映像データが消去されるが、消去する対象の映像データが無い場合には、空き容量が不足して予約録画された番組の録画が実行できないことになる。また、ユーザが消去を所望しない映像データが消去されてしまう場合がある。
【０００５】
本発明は、上記課題に鑑みてなされたものであって、空き容量が不足している場合に、利便性良好に予約録画番組を記録することの可能な放送受信記録装置を提供することを目的としている。
【課題を解決するための手段】
【０００６】
上記目的を達成するために請求項１に記載の放送受信記録装置は、デジタル方式のテレビジョン放送を受信して、受信した映像情報を記録媒体に記録可能に構成された放送受信記録装置であって、デジタル方式のテレビジョン放送を受信する受信手段と、前記記録媒体に形成され、前記受信手段を介して受信された映像情報を格納する映像記憶手段と、外部からの操作入力を受け付けて、受け付けられた操作入力に基づいて、録画する対象の番組である予約録画番組を設定する録画予約手段と、前記録画予約手段によって設定された予約録画番組を前記映像記憶手段に格納する空き容量があるか否かを判定する容量判定手段と、前記容量判定手段によって前記映像記憶手段に格納する空き容量が無いと判定された場合に、前記予約録画番組の映像情報を前記映像記憶手段に記録せずに、前記予約録画番組の字幕情報及び音声情報の少なくとも一方を前記映像記憶手段に記録する記録実行手段と、を備えることを特徴としている。
【０００７】
請求項２に記載の放送受信記録装置は、請求項１に記載の放送受信記録装置であって、前記予約録画番組を前記映像記憶手段に格納するために必要な容量である必要容量を求める容量算出手段を備え、前記容量判定手段が、前記容量算出手段によって求められた必要容量が前記空き容量より大きい場合に、前記映像記憶手段に格納する空き容量が無いと判定することを特徴としている。
【０００８】
請求項３に記載の放送受信記録装置は、請求項２に記載の放送受信記録装置であって、映像の解像度情報及びアスペクト比情報に対応付けて、単位時間当たりの必要容量を予め格納する容量記憶手段を備え、前記容量算出手段が、前記受信手段を介して前記予約録画番組の解像度情報及びアスペクト比情報を取得し、取得された解像度情報及びアスペクト比情報に対応する単位時間当たりの必要容量を前記容量記憶手段から読み出し、読み出された単位時間当たりの必要容量に前記予約録画番組の番組時間を乗じることによって前記必要容量を求めることを特徴としている。
【０００９】
請求項４に記載の放送受信記録装置は、請求項１〜請求項３のいずれかに記載の放送受信記録装置であって、前記容量判定手段によって前記映像記憶手段に格納する空き容量が無いと判定された場合に、前記予約録画番組の字幕情報の有無を判定する字幕判定手段を備え、前記記録実行手段が、前記容量判定手段によって前記映像記憶手段に格納する空き容量が無いと判定された場合に、前記字幕判定手段によって字幕情報が有ると判定された場合には、前記予約録画番組の字幕情報に対応するテキストデータを生成し、生成されたテキストデータを前記映像記憶手段に記録し、前記字幕判定手段によって字幕情報が無いと判定された場合には、前記予約録画番組の音声情報を前記映像記憶手段に記録することを特徴としている。
【００１０】
請求項５に記載の放送受信記録装置は、請求項１〜請求項４のいずれかに記載の放送受信記録装置であって、携帯可能に構成されていることを特徴としている。
【発明の効果】
【００１１】
請求項１に記載の放送受信記録装置によれば、デジタル方式のテレビジョン放送が受信手段によって受信され、受信された映像情報が記録媒体に形成された映像記憶手段に格納される。また、外部からの操作入力が受け付けられて、受け付けられた操作入力に基づいて、録画する対象の番組である予約録画番組が設定され、設定された予約録画番組を映像記憶手段に格納する空き容量があるか否かが判定される。そして、映像記憶手段に予約録画番組を格納する空き容量が無いと判定された場合に、予約録画番組の映像情報が映像記憶手段に記録されずに、予約録画番組の字幕情報及び音声情報の少なくとも一方が映像記憶手段に記録されるため、空き容量が不足している場合に、利便性良好に予約録画番組を記録することができる。
【００１２】
すなわち、映像記憶手段に予約録画番組を格納する空き容量が無いと判定された場合に、予約録画番組の映像情報が映像記憶手段に記録されずに、予約録画番組の字幕情報及び音声情報の少なくとも一方が映像記憶手段に記録されるため、予約録画番組の映像情報は記録されないが、予約録画番組の内容を把握することが可能な予約録画番組の字幕情報及び音声情報の少なくとも一方が記録されるので、空き容量が不足している場合に、利便性良好に予約録画番組を記録することができるのである。
【００１３】
請求項２に記載の放送受信記録装置によれば、予約録画番組を映像記憶手段に格納するために必要な容量である必要容量が求められ、求められた必要容量が空き容量より大きい場合に、映像記憶手段に格納する空き容量が無いと判定されるため、空き容量が不足しているか否かを正確に判定することができる。
【００１４】
請求項３に記載の放送受信記録装置によれば、映像の解像度情報及びアスペクト比情報に対応付けて、単位時間当たりの必要容量が容量記憶手段に予め格納されており、受信手段を介して予約録画番組の解像度情報及びアスペクト比情報が取得され、取得された解像度情報及びアスペクト比情報に対応する単位時間当たりの必要容量が容量記憶手段から読み出され、読み出された単位時間当たりの必要容量に予約録画番組の番組時間を乗じることによって必要容量が求められるため、空き容量が不足しているか否かを更に正確に判定することができる。
【００１５】
すなわち、受信手段を介して予約録画番組の解像度情報及びアスペクト比情報が取得され、取得された解像度情報及びアスペクト比情報に対応する単位時間当たりの必要容量が容量記憶手段から読み出され、読み出された単位時間当たりの必要容量に予約録画番組の番組時間を乗じることによって必要容量が求められるため、容量記憶手段に適正な単位時間当たりの必要容量を格納することによって、簡素な構成で必要容量を正確に求めることができるので、空き容量が不足しているか否かを更に正確に判定することができるのである。
【００１６】
つまり、映像情報の必要容量は、音声情報等の必要容量と比較して遙かに大きいため、予約録画番組の必要容量は、概ね映像情報の大きさによって規定され、映像情報の大きさは、解像度及びアスペクト比によって規定される単位時間当たりの必要容量と、予約録画番組の番組時間とによって推定され得るため、簡素な構成で必要容量を正確に求めることができるのである。
【００１７】
請求項４に記載の放送受信記録装置によれば、映像記憶手段に格納する空き容量が無いと判定された場合に、予約録画番組の字幕情報の有無が判定され、字幕情報が有ると判定された場合には、予約録画番組の字幕情報に対応するテキストデータが生成され、生成されたテキストデータが映像記憶手段に記録される。一方、字幕情報が無いと判定された場合には、予約録画番組の音声情報が映像記憶手段に記録されるため、空き容量が不足している場合に、利便性良好に予約録画番組を記録することができる。
【００１８】
すなわち、字幕情報が有ると判定された場合には、予約録画番組の字幕情報に対応するテキストデータが生成されて、生成されたテキストデータが映像記憶手段に記録され、字幕情報が無いと判定された場合には、予約録画番組の音声情報が映像記憶手段に記録されるため、予約録画番組の字幕情報に対応するテキストデータ又は予約録画番組の音声情報が記録されるので、空き容量が不足している場合に、利便性良好に予約録画番組を記録することができるのである。
【００１９】
請求項５に記載の放送受信記録装置によれば、携帯可能に構成されているため、空き容量が不足している場合に、更に利便性良好に予約録画番組を記録することができる。
【００２０】
すなわち、携帯可能に構成されているため、記録媒体の容量を大きくすることが構造上困難であり、空き容量が不足する事態が頻繁に発生するので、空き容量が不足している場合に、更に利便性良好に予約録画番組を記録することができるのである（＝本発明の効果が更に顕在化するのである）。
【発明を実施するための最良の形態】
【００２１】
以下に本発明の実施形態を、図面を参照しながら説明する。図１は、本発明に係るポータブルテレビ受信機の構成の一例を示すブロック図である。ポータブルテレビ受信機１（放送受信記録装置に相当する）は、携帯可能に（＝小型軽量に）構成され、後述する操作部１４を介してユーザからの操作入力を受け付けて、受け付けた操作入力に基づいて、デジタル方式のテレビジョン放送を受信し、受信した映像情報をディスプレイ１７２に表示すると共に、受信した音声情報をスピーカ１６２に出力ものである。
【００２２】
ポータブルテレビ受信機１は、ＣＰＵ１１、ＲＡＭ１２、ＲＯＭ１３、操作部１４、受信部１５、音声出力部１６、画像出力部１７、及び、ＨＤＤ１８を備えている。
【００２３】
ＣＰＵ（Ｃｅｎｔｒａｌ  Ｐｒｏｃｅｓｓｉｎｇ  Ｕｎｉｔ）１１は、ポータブルテレビ受信機１全体の動作を制御するものである。ＲＡＭ（Ｒａｎｄｏｍ  Ａｃｃｅｓｓ  Ｍｅｍｏｒｙ）１２は、設定情報等の種々の情報を読み書き自在に格納するものである。ＲＯＭ（Ｒｅａｄ  Ｏｎｌｙ  Ｍｅｍｏｒｙ）１３は、ＣＰＵ１１を動作させる制御プログラム等を格納するものである。
【００２４】
操作部１４（録画予約手段の一部に相当する）は、電源のＯＮ、ＯＦＦ操作、選局等の各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＭＰＥＧ２デコード部１５５を備えている。
【００２５】
アンテナ部１５１は、デジタル方式のテレビジョン放送波を受信するものである。チューナ部１５２は、アンテナ部１５１で受信されたテレビジョン放送波から、予め設定された（又は、操作部１４を介して受け付けられた）チャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＭＰＥＧ（Ｍｏｔｉｏｎ  Ｐｉｃｔｕｒｅ  Ｅｘｐｅｒｔｓ  Ｇｒｏｕｐ）２デコード部１５５は、復調部１５４によって復調された出力情報を圧縮前の映像情報に復号化するものである。
【００２６】
音声出力部１６は、受信部１５によって受信されたテレビジョン放送に対応する音声信号をスピーカ１６２に対して出力するものであって、音声信号出力部１６１及びスピーカ１６２を備えている。音声信号出力部１６１は、復調部１５４から出力された音声情報をスピーカ１６２に対して出力するものである。スピーカ１６２は、音声信号出力部１６１から入力された音声信号に対応する音声を出力するものである。
【００２７】
画像出力部１７は、ＭＰＥＧ２デコード部１５５によって復号化された映像情報に対応する映像をディスプレイ１７２に表示するものであって、映像信号出力部１７１及びディスプレイ１７２を備えている。映像信号出力部１７１は、ＭＰＥＧ２デコード部１５５から出力された映像情報をディスプレイ１７２に対して出力するものである。ディスプレイ１７２は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、映像信号出力部１７１から入力された映像情報に対応する映像を表示するものである。
【００２８】
ＨＤＤ（Ｈａｒｄ  Ｄｉｓｋ  Ｄｒｉｖｅ）１８（記録媒体に相当する）は、例えば、２００ＧＢ（ギガバイト）の容量を有し、受信部１５を介して受信された映像情報等を格納するものである。
【００２９】
次に、ポータブルテレビ受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって映像情報及び音声情報に復調される。復調部１５４によって復調された映像情報は、ＭＰＥＧ２デコード部１５５によって圧縮前の映像情報に復号化され、映像信号出力部１７１を介してディスプレイ１７２に映像が表示される。復調部１５４によって復調された音声情報は、音声信号出力部１６１を介してスピーカ１６２から音声が出力される。
【００３０】
図２は、本発明に係るポータブルテレビ受信機１における主要部の構成の一例を示すブロック図である。ＣＰＵ１１は、機能的に、録画予約部１１１、容量算出部１１２、容量判定部１１３、字幕判定部１１４、及び、記録実行部１１５を備え、ＲＡＭ１２は、機能的に、容量記憶部１２１を備え、ＨＤＤ１８は、機能的に、映像記憶部１８１を備えている。
【００３１】
ここでは、ＣＰＵ１１が、図１に示すＲＯＭ１３等に予め格納された制御プログラムを読み出して実行することにより、録画予約部１１１、容量算出部１１２、容量判定部１１３、字幕判定部１１４、記録実行部１１５等の機能部として機能すると共に、ＲＡＭ１２を、容量記憶部１２１等の機能部として機能させ、ＨＤＤ１８を、映像記憶部１８１等の機能部として機能させるものである。
【００３２】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３３】
容量記憶部１２１（容量記憶手段に相当する）は、映像の解像度情報及びアスペクト比情報に対応付けて、単位時間当たりの必要容量Ｐを予め格納するものである。図３（ａ）は、容量記憶部１２１に格納された単位時間当たり（ここでは、１分当たり）の必要容量Ｐの一例を示す図表である。図表の最上欄は、解像度であって、画面領域のライン数（４８０、７２０、１０８０）と、順次走査方式（ｐ）、又は、飛び越し走査方式（ｉ）とから構成されている。例えば、「７２０ｐ」は、画面領域のライン数が「７２０本」の順次走査方式を示し、「１０８０ｉ」は、画面領域のライン数が「１０８０本」の飛び越し走査方式を示している。また、図表の最左欄は、アスペクト比（＝画面領域の縦横比）である。
【００３４】
また、各欄に記載された数字は、１分当たりの必要容量Ｐ（ＭＢ：メガバイト）である。すなわち、例えば、解像度が「４８０ｉ」であり、アスペクト比が「４：３」である場合の１分当たりの必要容量は、６９ＭＢ（メガバイト）である。また、例えば、解像度が「１０８０ｐ」であり、アスペクト比が「１６：９」である場合の１分当たりの必要容量は、９３２ＭＢである。
【００３５】
映像記憶部１８１（映像記憶手段に相当する）は、受信部１５を介して受信された映像情報、音声情報、字幕情報に対応するテキストデータ等を格納するものである。また、映像記憶部１８１に格納される映像情報等は、記録実行部１１５によって書き込まれる。
【００３６】
録画予約部１１１（録画予約手段の一部に相当する）は、操作部１４を介してユーザからの操作入力を受け付けて、受け付けられた操作入力に基づいて、録画する対象の番組である予約録画番組を設定するものである。例えば、録画予約部１１１は、受信部１５を介して電子番組表（ＥＰＧ：Ｅｌｅｃｔｒｏｎｉｃ  Ｐｒｏｇｒａｍ  Ｇｕｉｄｅ）情報を取得して、電子番組表をディスプレイ１７２に表示して、操作部１４を介してユーザからの操作入力を受け付けて、受け付けられた操作入力に基づいて、録画する対象の番組である予約録画番組を設定するものである。
【００３７】
容量算出部１１２（容量算出手段に相当する）は、録画予約部１１１によって設定された予約録画番組を映像記憶部１８１に格納するために必要な容量である必要容量Ｑを求めるものである。
【００３８】
具体的には、容量算出部１１２は、受信部１５を介して予約録画番組の解像度情報及びアスペクト比情報を取得し、取得された解像度情報及びアスペクト比情報に対応する単位時間当たりの必要容量Ｐ（ＭＢ／分）を容量記憶部１２１から読み出し、読み出された単位時間当たりの必要容量Ｐに予約録画番組の番組時間Ｔ（分）を乗じることによって必要容量Ｑ（＝Ｐ×Ｔ）を求めるものである。
【００３９】
図３（ｂ）は、予約録画番組の番組時間Ｔが６０分である場合の必要容量Ｑの一例を示す図表である。図表の最上欄は、解像度であって、画面領域のライン数（４８０、７２０、１０８０）と、順次走査方式（ｐ）、又は、飛び越し走査方式（ｉ）とから構成されている。例えば、解像度が「４８０ｉ」であり、アスペクト比が「４：３」である場合の必要容量は、４．１４ＧＢ（ギガバイト）である。また、例えば、解像度が「１０８０ｐ」であり、アスペクト比が「１６：９」である場合の必要容量Ｑは、５６．０ＧＢである。
【００４０】
容量判定部１１３（容量判定手段に相当する）は、録画予約部１１１によって設定された予約録画番組の放送開始時刻に到達した時点で、録画予約部１１１によって設定された予約録画番組を映像記憶部１８１に格納する空き容量Ｑ０があるか否かを判定するものである。具体的には、容量判定部１１３は、容量算出部１１２によって求められた必要容量Ｑが空き容量Ｑ０より大きい場合に、映像記憶部１８１に格納する空き容量が無いと判定するものである。
【００４１】
字幕判定部１１４（字幕判定手段に相当する）は、容量判定部１１３によって映像記憶部１８１に予約録画番組を格納する空き容量が無いと判定された場合に、受信部１５を介して取得された電子番組表等に基づき、予約録画番組の字幕情報の有無を判定するものである。
【００４２】
記録実行部１１５（記録実行手段に相当する）は、容量判定部１１３によって映像記憶部１８１に予約録画番組を格納する空き容量が無いと判定された場合に、字幕判定部１１４によって字幕情報が有ると判定された場合には、予約録画番組の字幕情報に対応するテキストデータを生成し、生成されたテキストデータを映像記憶部１８１に記録し、字幕判定部１１４によって字幕情報が無いと判定された場合には、予約録画番組の音声情報を映像記憶部１８１に記録するものである。また、記録実行部１１５は、容量判定部１１３によって映像記憶部１８１に予約録画番組を格納する空き容量が有ると判定された場合には、予約録画番組に対応する映像情報、音声情報等を映像記憶部１８１に記録するものである。
【００４３】
図４は、ポータブルテレビ受信機１（主にＣＰＵ１１）の動作の一例を示すフローチャートである。なお、ここでは、便宜上、録画予約部１１１によって予め予約録画番組が設定されている場合について説明する。まず、容量判定部１１３によって、録画予約部１１１によって設定された予約録画番組の放送開始時刻に到達したか否かの判定が行われる（Ｓ１０１）。放送開始時刻に到達していないと判定された場合（Ｓ１０１でＮＯ）には、処理が待機状態とされる。
【００４４】
放送開始時刻に到達したと判定された場合（Ｓ１０１でＹＥＳ）には、容量算出部１１２によって、受信部１５を介して予約録画番組の解像度情報及びアスペクト比情報が取得される（Ｓ１０３）。そして、容量算出部１１２によって、ステップＳ１０３において取得された解像度情報及びアスペクト比情報に対応する単位時間当たりの必要容量Ｐ（ＭＢ／分）を容量記憶部１２１から読み出される（Ｓ１０５）。次いで、容量算出部１１２によって、ステップＳ１０５において読み出された単位時間当たりの必要容量Ｐに予約録画番組の番組時間Ｔ（分）を乗じることによって必要容量Ｑ（＝Ｐ×Ｔ）が求められる（Ｓ１０７）。
【００４５】
次に、容量判定部１１３によって、映像記憶部１８１の空き容量Ｑ０が取得される（Ｓ１０９）。そして、容量判定部１１３によって、ステップＳ１０９において取得された空き容量Ｑ０が、ステップＳ１０７において求められた必要容量Ｑ以上であるか否かの判定が行われる（Ｓ１１１）。空き容量Ｑ０が必要容量Ｑ以上であると判定された場合（Ｓ１１１でＹＥＳ）には、記録実行部１１５によって、予約録画番組に対応する映像情報、音声情報等が映像記憶部１８１に記録され（Ｓ１１３）、処理が終了される。
【００４６】
空き容量Ｑ０が必要容量Ｑ以上ではない（＝予約録画番組を格納する容量が不足している）と判定された場合（Ｓ１１１でＮＯ）には、字幕判定部１１４によって、予約録画番組の字幕情報が有るか否かの判定が行われる（Ｓ１１５）。字幕情報が有ると判定された場合（Ｓ１１５でＹＥＳ）には、記録実行部１１５によって、予約録画番組の字幕情報に対応するテキストデータが生成され（Ｓ１１７）、生成されたテキストデータが映像記憶部１８１に記録されて（Ｓ１１９）、処理が終了される。字幕情報が無いと判定された場合（Ｓ１１５でＮＯ）には、記録実行部１１５によって、予約録画番組の音声情報が映像記憶部１８１に記録され（Ｓ１２１）、処理が終了される。
【００４７】
このようにして、デジタル方式のテレビジョン放送が受信部１５によって受信され、受信された映像情報がＨＤＤ１８に形成された映像記憶部１８１に格納される。また、操作部１４を介してユーザからの操作入力が受け付けられて、受け付けられた操作入力に基づいて、録画する対象の番組である予約録画番組が設定され、設定された予約録画番組を映像記憶部１８１に格納する空き容量があるか否かが判定される。そして、映像記憶部１８１に予約録画番組を格納する空き容量が無い（＝空き容量が不足している）と判定された場合に、予約録画番組の映像情報が映像記憶部１８１に記録されずに、予約録画番組の字幕情報及び音声情報の少なくとも一方が映像記憶部１８１に記録されるため、空き容量が不足している場合に、利便性良好に予約録画番組を記録することができる。
【００４８】
すなわち、映像記憶部１８１に予約録画番組を格納する空き容量Ｑ０が無い（＝空き容量が不足している）と判定された場合に、予約録画番組の映像情報が映像記憶部１８１に記録されずに、予約録画番組の字幕情報及び音声情報の少なくとも一方が映像記憶部１８１に記録されるため、予約録画番組の映像情報は記録されないが、予約録画番組の内容を把握することが可能な予約録画番組の字幕情報及び音声情報の少なくとも一方が記録されるので、空き容量が不足している場合に、利便性良好に予約録画番組を記録することができるのである。
【００４９】
また、予約録画番組を映像記憶部１８１に格納するために必要な容量である必要容量Ｑが求められ、求められた必要容量Ｑが空き容量Ｑ０より大きい場合に、映像記憶部１８１に格納する空き容量が無い（＝空き容量が不足している）と判定されるため、空き容量が不足しているか否かを正確に判定することができる。
【００５０】
更に、映像の解像度情報及びアスペクト比情報に対応付けて、単位時間当たりの必要容量Ｐが容量記憶部１２１に予め格納されており、受信部１５を介して予約録画番組の解像度情報及びアスペクト比情報が取得され、取得された解像度情報及びアスペクト比情報に対応する単位時間当たりの必要容量Ｐが容量記憶部１２１から読み出され、読み出された単位時間当たりの必要容量Ｐに予約録画番組の番組時間Ｔを乗じることによって必要容量Ｑが求められるため、空き容量が不足しているか否かを更に正確に判定することができる。
【００５１】
すなわち、受信部１５を介して予約録画番組の解像度情報及びアスペクト比情報が取得され、取得された解像度情報及びアスペクト比情報に対応する単位時間当たりの必要容量Ｐが容量記憶部１２１から読み出され、読み出された単位時間当たりの必要容量Ｐに予約録画番組の番組時間Ｔを乗じることによって必要容量Ｑが求められるため、容量記憶部１２１に適正な単位時間当たりの必要容量Ｐを格納することによって、簡素な構成で必要容量Ｑを正確に求めることができるので、空き容量が不足しているか否かを更に正確に判定することができるのである。
【００５２】
つまり、映像情報の必要容量は、音声情報等の必要容量と比較して遙かに大きいため、予約録画番組の必要容量Ｑは、概ね映像情報の大きさによって規定され、映像情報の大きさは、解像度及びアスペクト比によって規定される単位時間当たりの必要容量Ｐと、予約録画番組の番組時間Ｔとによって推定され得るため、簡素な構成で必要容量を正確に求めることができるのである。
【００５３】
加えて、映像記憶部１８１に予約録画番組を格納する空き容量が無い（＝空き容量が不足している）と判定された場合に、予約録画番組の字幕情報の有無が判定され、字幕情報が有ると判定された場合には、予約録画番組の字幕情報に対応するテキストデータが生成され、生成されたテキストデータが映像記憶部１８１に記録される。一方、字幕情報が無いと判定された場合には、予約録画番組の音声情報が映像記憶部１８１に記録されるため、空き容量が不足している場合に、利便性良好に予約録画番組を記録することができる。
【００５４】
すなわち、字幕情報が有ると判定された場合には、予約録画番組の字幕情報に対応するテキストデータが生成されて、生成されたテキストデータが映像記憶部１８１に記録され、字幕情報が無いと判定された場合には、予約録画番組の音声情報が映像記憶部１８１に記録されるため、予約録画番組の字幕情報に対応するテキストデータ又は予約録画番組の音声情報が記録されるので、空き容量が不足している場合に、利便性良好に予約録画番組を記録することができるのである。
【００５５】
また、携帯可能に構成されているため、空き容量が不足している場合に、更に利便性良好に予約録画番組を記録することができる。
【００５６】
すなわち、ポータブルテレビ受信機１が携帯可能に構成されているため、ＨＤＤ１８の容量を大きくすることが構造上困難であり、空き容量が不足する事態が頻繁に発生するので、空き容量が不足している場合に、更に利便性良好に予約録画番組を記録することができるのである（＝本発明の効果が更に顕在化するのである）。
【００５７】
なお、本発明は、以下の形態にも適用可能である。
（Ａ）本実施形態では、放送受信記録装置が、デジタル方式のテレビジョン放送を受信するポータブルテレビ受信機１である場合について説明したが、放送受信記録装置が、携帯可能に構成され、テレビジョン放送を受信して、受信した映像情報を外部から視認可能にモニタに出力するものであればよい。例えば、放送受信記録装置が、テレビジョン放送を受信可能に構成された携帯電話機である形態でもよい。
【００５８】
（Ｂ）本実施形態では、ＣＰＵ１１が、機能的に、録画予約部１１１、容量算出部１１２、容量判定部１１３、字幕判定部１１４、記録実行部１１５等の機能部を備える場合について説明したが、録画予約部１１１、容量算出部１１２、容量判定部１１３、字幕判定部１１４、及び、記録実行部１１５の内、少なくとも１の機能部が回路等のハードウェアによって実現されている形態でもよい。
【００５９】
（Ｃ）本実施形態では、映像記憶部１８１が、ＨＤＤ１８に機能的に備えられている場合について説明したが、映像記憶部１８１が、他の種類の記録媒体（例えば、ＩＣメモリ等）に機能的に備えられている形態でもよい。
【００６０】
（Ｄ）本実施形態では、容量記憶部１２１が、映像の解像度情報及びアスペクト比情報に対応付けて、単位時間当たりの必要容量Ｐを予め格納する場合について説明したが、容量記憶部１２１が、映像の解像度情報及びアスペクト比情報の少なくとも一方に対応付けて、単位時間当たりの必要容量Ｐを予め格納する形態でもよい。例えば、容量記憶部１２１が、映像の解像度情報に対応付けて、単位時間当たりの必要容量Ｐを予め格納する形態でもよい。この場合には、容量記憶部１２１の容量が削減されると共に、容量算出部１１２の処理が簡略化される。
【００６１】
（Ｅ）本実施形態では、記録実行部１１５が、字幕判定部１１４によって字幕情報が有ると判定された場合には、予約録画番組の字幕情報に対応するテキストデータを生成し、生成されたテキストデータを映像記憶部１８１に記録する場合について説明したが、記録実行部１１５が、字幕情報の有無に拘わらず、予約録画番組の音声情報を映像記憶部１８１に記録する形態でもよい。この場合には、処理が簡略化される。
【図面の簡単な説明】
【００６２】
【図１】は、本発明に係るポータブルテレビ受信機の構成の一例を示すブロック図である。
【図２】は、本発明に係るポータブルテレビ受信機における主要部の構成の一例を示すブロック図である。
【図３】は、容量記憶部に格納された単位時間当たりの必要容量Ｐの一例を示す図表、及び、予約録画番組の番組時間Ｔが６０分である場合の必要容量Ｑの一例を示す図表である。
【図４】は、ポータブルテレビ受信機（主にＣＰＵ）の動作の一例を示すフローチャートである。
【符号の説明】
【００６３】
１    ポータブルテレビ受信機（放送受信記録装置）
１１    ＣＰＵ
１１１    録画予約部（録画予約手段の一部）
１１２    容量算出部（容量算出手段）
１１３    容量判定部（容量判定手段）
１１４    字幕判定部（字幕判定
１１５    記録実行部（記録実行手段）
１２    ＲＡＭ
１２１    容量記憶部
１４    操作部（録画予約手段の一部）
１５    受信部（受信手段）
１６    音声出力部
１６２    スピーカ
１７    画像出力部
１７２    ディスプレイ
１８    ＨＤＤ
１８１    映像記憶部（映像記憶手段）
【図１】
0004924325.tif 000002
【図２】
0004924325.tif 000003
【図３】
0004924325.tif 000004
【図４】
0004924325.tif 000005